(57)【要約】【課題】用紙の搬送が検出できない状態で、正常に画像形成動作が実行されている場合に、安全性に問題があると誤検出することを防止すること。【解決手段】用紙搬送装置Ｋ１，Ｋ２，Ｒ１と、定着光源Ｆ１と定着電源回路Ｅｄとを有する定着装置Ｆと、搬送検出部材ＳＮ３と、新たな連続紙Ｐを搬送検出部材ＳＮ３の位置よりも連続紙搬送方向上流側に設定された自動装填位置まで搬送し自動的に装填する新規連続紙自動装填手段Ｃ８と、発光累積回数ｎを計数する発光累積回数計数手段Ｃ９と、連続紙Ｐの搬送が検出された場合に発光累積回数ｎを初期化すると共に、新たな連続紙Ｐが自動的に装填された場合に発光累積回数ｎを初期化する発光累積回数初期化手段Ｃ９Ｃと、発光累積回数ｎが発光限界回数Ｎａを超えた場合に電源供給を切断する電源切断手段Ｃ４Ｄと、を備えたことを特徴とする画像形成装置Ｕ。【選択図】図３
2008158209.tif 000002
【特許請求の範囲】
【請求項１】
画像が記録される連続紙を搬送する用紙搬送装置と、
前記連続紙に転写されたトナー像を定着する定着領域において前記連続紙に定着用の光を照射する定着光源と、前記定着光源へ電源を供給する定着電源回路と、を有する定着装置と、
前記連続紙の搬送を検出する搬送検出部材と、
前記用紙搬送装置を制御して、新たな連続紙の前端を前記搬送検出部材の位置よりも連続紙搬送方向上流側に設定された自動装填位置まで搬送し、新たな連続紙を自動的に装填する新規連続紙自動装填手段と、
前記定着光源が発光して光が照射された回数の累積値である発光累積回数を計数する発光累積回数計数手段と、
前記連続紙の搬送が検出された場合に前記発光累積回数を初期化すると共に、前記新たな連続紙が自動的に装填された場合に前記発光累積回数を初期化する発光累積回数初期化手段と、
前記発光累積回数が予め設定された発光限界回数を超えた場合に前記定着電源回路による電源供給を切断する電源切断手段と、
を備えたことを特徴とする画像形成装置。
【請求項２】
前記定着領域の連続紙搬送方向下流側に配置され、トナー像が定着された前記連続紙を下流側に搬送する用紙搬送部材と、
前記用紙搬送部材の連続紙搬送方向下流側に配置された前記搬送検出部材と、
を備えたことを特徴とする請求項１に記載の画像形成装置。
【請求項３】
前記発光累積回数が前記発光限界回数を超えたことを告知する告知手段、
を備えたことを特徴とする請求項１または２に記載の画像形成装置。
【発明の詳細な説明】
【技術分野】
【０００１】
本発明は、プリンタ、複写機、ＦＡＸあるいはこれら複数の機能を備えた複合機等の画像形成装置に関し、特に、連続紙に画像形成を行う画像形成装置に関する。
【背景技術】
【０００２】
従来の電子写真方式の画像形成装置では、フラッシュランプを発光させて用紙上のトナー像を定着させるフラッシュ定着方式が知られている。前記フラッシュ定着方式の画像形成装置では、紙詰まり（ジャム）が発生して定着領域に用紙の搬送が停止した状態で、フラッシュランプが複数回発光すると、前記用紙が発煙、発火する恐れがあることが問題となる。
例えば、フラッシュランプを制御するコントローラが暴走した場合には、ジャム発生をセンサが検出しているにも関わらず、フラッシュランプが連続で発光されることもある。したがって、ジャムが発生したことを検出した場合には、フラッシュランプの発光を確実に停止する必要がある。
【０００３】
このような技術として、下記の従来技術（Ｊ01）、（Ｊ02）が公知である。
（Ｊ01）特許文献１（特開平４−１５６４９０号公報）記載の技術
特許文献１には、定着処理装置（３）が制御するフラッシュ発光を検出するランプセンサ（１２）からの受光信号と、用紙走行を検出するペーパーフィードモータセンサ（１０）からの出力信号とを監視することによって、用紙走行中にフラッシュ発光を検出したとき以外は定着用電源を切断することで、用紙からの発煙、発火や、定着処理装置（３）等の暴走による定着用電源回路の抵抗（２３）からの発煙、発火を防止する定着装置が記載されている。
【０００４】
（Ｊ02）特許文献２（特開平２−１２７０６１号公報）記載の技術
特許文献２には、ジャムセンサ（１）の出力信号（Ｓ１１）によってジャムを検出してジャム検出信号（Ｓ１２）を信号検出表示手段（３）に出力するマイクロプロセッサ（２）が暴走した場合には、ジャムセンサ（１）およびマイクロプロセッサ（２）の各出力信号（Ｓ１１，Ｓ１３）を監視するジャム検出回路（５）がマイクロプロセッサ（２）の代わりにジャム検出信号（Ｓ１４）を信号検出表示手段（３）に出力することで、定着部のヒーター等の加熱による発煙、発火を防止するジャム検出装置が記載されている。
【０００５】
前記従来技術（Ｊ01）、（Ｊ02）のように、ジャムが発生して用紙の搬送が停止した際に、定着用電源を切断する処理は広く行われており、伝票等の連続紙を使用する画像形成装置にも応用されている。
前記従来技術（Ｊ01）、（Ｊ02）が連続紙を使用する画像形成装置に応用された従来技術として、下記の従来技術（Ｊ03）が従来公知である。
（Ｊ03）図７に示す技術
図７は連続紙を使用する従来の画像形成装置の説明図である。
図７において、従来の画像形成装置０１では、新しい前記連続紙０２を装填する際に、ユーザが所定の位置に連続紙の用紙前端をセットした後、スイッチやボタン等を入力すると、前記連続紙０２が所定の位置まで搬送されて自動的に装填される従来公知のオートロード処理が実行される（例えば、特開２００５−１７０５５０号公報等参照）。
また、前記画像形成装置０１では、ジョブ（画像形成処理）実行時に、フラッシュランプ０３が発光して前記連続紙０２上のトナー像が定着され、前記連続紙０２が排紙ロール０４によってスタックトレイ０５に排紙されて積載される。前記排紙ロール０４の下流側には用紙搬送検出センサ０６が配置され、前記連続紙０２の紙詰まりが検出される。
【０００６】
前記画像形成装置０１では、紙詰まり発生時に前記フラッシュランプ０３が複数回発光して、前記連続紙０２が発煙等することを防止するために、例えば、前記用紙搬送検出センサ０６で前記連続紙０２の搬送が検出されていない状態で、前記フラッシュランプ０３が発光した累積回数を計数し、前記用紙搬送検出センサ０６で前記連続紙０２の搬送を検出した場合に、前記累積回数をリセットする処理が行われる。したがって、前記画像形成装置０１では、正常にジョブが実行されている場合は、前記累積値がリセットされ続けるため、前記累積回数が予め設定された限界値を超えることなく前記フラッシュランプ０３が発光される。また、何らかの異常が発生し、前記連続紙０２の搬送を検出できない場合は、前記累積回数が前記限界値を超えるため、前記連続紙０２の同じ位置に前記フラッシュランプ０３からの光が複数回照射された可能性があり、発煙等の恐れがあるため、安全のために定着用電源を切断していた。
【０００７】
なお、前記従来技術（Ｊ03）では、前記オートロード処理が完了した時の前記連続紙０２の用紙前端の位置であるオートロード完了位置は、一般的には、前記スタックトレイ０５に前記連続紙０２が数ページ積載された位置（図７の破線参照）に設定されているが、印刷されずに前記スタックトレイ０５に搬送される用紙を削減するために、前記フラッシュランプ０３よりも上流の位置（図７の実線参照）に設定されている場合もある。したがって、前記オートロード完了位置が前記スタックトレイ０５に前記連続紙０２が数ページ積載された位置である場合には、ジョブが開始された時に、前記用紙搬送検出センサ０６が前記連続紙０２の搬送を検出できるが、前記オートロード完了位置が前記フラッシュランプ０３よりも上流の位置に設定されている場合には、ジョブが開始された後、前記連続紙０２の用紙前端が前記用紙搬送検出センサ０６まで到達しなければ前記連続紙０２の搬送を検出できない。
【０００８】
この結果、前記オートロード完了位置が前記フラッシュランプ０３よりも上流の位置に設定されている場合には、前記連続紙０２の用紙前端が前記用紙搬送検出センサ０６まで到達するまでにフラッシュランプ０３が発光し、前記累積回数が計数されてしまう。よって、前記従来技術（Ｊ03）では、前記限界値として、正常にジョブが実行されて前記連続紙０２の用紙前端が前記用紙搬送検出センサ０６に到達するまでに前記累積回数が超えてしまわない程度に十分な値であり、且つ、紙詰まりが発生しても前記連続紙０２が発煙等してしまう危険性が低い適切な値が設定されている。そして、前記オートロード直後に正常にジョブが実行され、前記連続紙０２の用紙前端が前記用紙搬送検出センサ０６に到達すると、連続紙０２の搬送が検出されて前記累積回数がリセットされるため、オートロード直後でも定着用電源が切断されることなくジョブが実行できる。
【０００９】
【特許文献１】特開平４−１５６４９０号公報
【特許文献２】特開平２−１２７０６１号公報
【発明の開示】
【発明が解決しようとする課題】
【００１０】
（従来技術の問題点）
前記従来技術（Ｊ03）では、前記オートロード完了位置が前記フラッシュランプ０３よりも上流の位置（図７の実線参照）に設定された場合に、前記オートロード処理を実行後にジョブが開始され、前記連続紙０２の用紙前端が前記用紙搬送検出センサ０６に到達するまでに紙詰まりが発生してジョブが中止されると、前記累積回数が計数されたままの状態になる。この場合、前記従来技術（Ｊ03）の前記画像形成装置０１では、ジャムを解除して再び前記オートロード処理を実行してジョブが再開されると、前記累積回数がリセットされていない状態からカウント（計数）が再開されるので、正常にジョブが実行されているにも関わらず、前記累積回数が前記限界値を超えてしまうことがあった。この場合、発煙等の安全性に問題があると誤検出してしまい、定着用電源を切断してしまう可能性があり、復帰させる作業を行う必要があるという問題があった。
【００１１】
本発明は、前述の事情に鑑み、次の記載内容（Ｏ01）を技術的課題とする。
（Ｏ01）用紙の搬送が検出できない状態で、正常に画像形成動作が実行されている場合に、安全性に問題があると誤検出することを防止すること。
【課題を解決するための手段】
【００１２】
次に、前記課題を解決した本発明を説明するが、本発明の構成要素と後述の実施例の構成要素との対応を容易に理解できるようにするため、本発明の構成要素の直後に実施例の構成要素の符号をカッコ（）で囲んで付記する。
なお、本発明を後述の実施例の符号と対応させて説明する理由は、本発明の理解を容易にするためであり、本発明の範囲を実施例に限定するものではない。
【００１３】
（本発明）
前記課題を解決するため本発明の画像形成装置（Ｕ）は、
画像が記録される連続紙（Ｐ）を搬送する用紙搬送装置（Ｋ１，Ｋ２，Ｒ１）と、
前記連続紙（Ｐ）に転写されたトナー像を定着する定着領域（Ｑ２）において前記連続紙（Ｐ）に定着用の光を照射する定着光源（Ｆ１）と、前記定着光源（Ｆ１）へ電源を供給する定着電源回路（Ｅｄ）と、を有する定着装置（Ｆ）と、
前記連続紙（Ｐ）の搬送を検出する搬送検出部材（ＳＮ３）と、
前記用紙搬送装置（Ｋ１，Ｋ２，Ｒ１）を制御して、新たな連続紙（Ｐ）の前端を前記搬送検出部材（ＳＮ３）の位置よりも連続紙搬送方向上流側に設定された自動装填位置まで搬送し、新たな連続紙（Ｐ）を自動的に装填する新規連続紙自動装填手段（Ｃ８）と、
前記定着光源（Ｆ１）が発光して光が照射された回数の累積値である発光累積回数（ｎ）を計数する発光累積回数計数手段（Ｃ９）と、
前記連続紙（Ｐ）の搬送が検出された場合に前記発光累積回数（ｎ）を初期化すると共に、前記新たな連続紙（Ｐ）が自動的に装填された場合に前記発光累積回数（ｎ）を初期化する発光累積回数初期化手段（Ｃ９Ｃ）と、
前記発光累積回数（ｎ）が予め設定された発光限界回数（Ｎａ）を超えた場合に前記定着電源回路（Ｅｄ）による電源供給を切断する電源切断手段（Ｃ４Ｄ）と、
を備えたことを特徴とする。
【００１４】
（本発明の作用）
前記構成要件を備えた本発明の画像形成装置（Ｕ）では、用紙搬送装置（Ｋ１，Ｋ２，Ｒ１）は、画像が記録される連続紙（Ｐ）を搬送する。定着装置（Ｆ）の定着光源（Ｆ１）は、前記連続紙（Ｐ）に転写されたトナー像を定着する定着領域（Ｑ２）において前記連続紙（Ｐ）に定着用の光を照射する。定着装置（Ｆ）の定着電源回路（Ｅｄ）は、前記定着光源（Ｆ１）へ電源を供給する。搬送検出部材（ＳＮ３）は、前記連続紙（Ｐ）の搬送を検出する。新規連続紙自動装填手段（Ｃ８）は、前記用紙搬送装置（Ｋ１，Ｋ２，Ｒ１）を制御して、新たな連続紙（Ｐ）の前端を前記搬送検出部材（ＳＮ３）の位置よりも連続紙搬送方向上流側に設定された自動装填位置まで搬送し、新たな連続紙（Ｐ）を自動的に装填する。
【００１５】
発光累積回数計数手段（Ｃ９）は、前記定着光源（Ｆ１）が発光して光が照射された回数の累積値である発光累積回数（ｎ）を計数する。発光累積回数初期化手段（Ｃ９Ｃ）は、前記連続紙（Ｐ）の搬送が検出された場合に前記発光累積回数（ｎ）を初期化すると共に、前記新たな連続紙（Ｐ）が自動的に装填された場合に前記発光累積回数（ｎ）を初期化する。電源切断手段（Ｃ４Ｄ）は、前記発光累積回数（ｎ）が予め設定された発光限界回数（Ｎａ）を超えた場合に前記定着電源回路（Ｅｄ）による電源供給を切断する。
【００１６】
したがって、本発明の画像形成装置（Ｕ）では、前記連続紙（Ｐ）の搬送が検出された場合、または、前記新たな連続紙（Ｐ）が自動的に装填された場合に、前記発光累積回数（ｎ）を初期化することができる。この結果、前記連続紙（Ｐ）が自動的に装填された後で画像形成動作が開始され、前記自動装填位置から前記搬送検出部材（ＳＮ３）に前記連続紙（Ｐ）が搬送されるまでの間に、前記定着領域（Ｑ２）において前記定着光源（Ｆ１）が発光して発光累積回数（ｎ）が計数され且つ紙詰まりが発生した場合にも、前記連続紙（Ｐ）を再装填した時に前記発光累積回数（ｎ）が初期化される。このため、正常に画像形成動作が実行されている限り、前記発光累積回数（ｎ）が前記発光限界回数（Ｎａ）を超えて電源供給を切断されることを防止できる。この結果、本発明の画像形成装置（Ｕ）は、用紙の搬送が検出できない状態で、正常に画像形成動作が実行されている場合に、安全性に問題があると誤検出することを防止することができる。
【００１７】
（本発明の形態１）
本発明の形態１の画像形成装置（Ｕ）は、前記本発明において、
前記定着領域（Ｑ２）の連続紙搬送方向下流側に配置され、トナー像が定着された前記連続紙（Ｐ）を下流側に搬送する用紙搬送部材（Ｒｂ）と、
前記用紙搬送部材（Ｒｂ）の連続紙搬送方向下流側に配置された前記搬送検出部材（ＳＮ３）と、
を備えたことを特徴とする。
【００１８】
（本発明の形態１の作用）
前記構成要件を備えた本発明の形態１の画像形成装置（Ｕ）では、用紙搬送部材（Ｒｂ）は、前記定着領域（Ｑ２）の連続紙搬送方向下流側に配置されており、トナー像が定着された前記連続紙（Ｐ）を下流側に搬送する。前記搬送検出部材（ＳＮ３）は、前記用紙搬送部材（Ｒｂ）の連続紙搬送方向下流側に配置されている。
したがって、本発明の形態１の画像形成装置（Ｕ）では、前記搬送検出部材（ＳＮ３）が前記定着領域（Ｑ２）の連続紙搬送方向下流側に配置されているため、前記自動装填位置から前記搬送検出部材（ＳＮ３）に前記連続紙（Ｐ）が搬送されるまでの間に、前記定着領域（Ｑ２）において前記定着光源（Ｆ１）が発光して発光累積回数（ｎ）が計数される。また、前記搬送検出部材（ＳＮ３）が前記用紙搬送部材（Ｒｂ）の連続紙搬送方向下流側に配置されているため、前記用紙搬送部材（Ｒｂ）で紙詰まりが発生した場合に、前記連続紙（Ｐ）の搬送が検出できず、計数されている発光累積回数（ｎ）がリセットできない。
【００１９】
しかし、本発明の形態１の画像形成装置（Ｕ）では、前記連続紙（Ｐ）を再装填した時に前記発光累積回数（ｎ）が初期化されるため、正常に画像形成動作が実行されている限り、前記発光累積回数（ｎ）が前記発光限界回数（Ｎａ）を超えて電源供給を切断されることを防止できる。この結果、本発明の形態１の画像形成装置（Ｕ）は、用紙の搬送が検出できない状態で、正常に画像形成動作が実行されている場合に、安全性に問題があると誤検出することを防止することができる。
【００２０】
（本発明の形態２）
本発明の形態１の画像形成装置（Ｕ）は、前記本発明または前記本発明の形態１のいずれかにおいて、
前記発光累積回数（ｎ）が前記発光限界回数（Ｎａ）を超えたことを告知する告知手段（Ｃ２）、
を備えたことを特徴とする。
【００２１】
（本発明の形態２の作用）
前記構成要件を備えた本発明の形態２の画像形成装置（Ｕ）では、告知手段（Ｃ２）は、前記発光累積回数（ｎ）が前記発光限界回数（Ｎａ）を超えたことを告知する。
したがって、本発明の形態２の画像形成装置（Ｕ）は、前記発光累積回数（ｎ）が前記発光限界回数（Ｎａ）を超えたことを告知することができる。
【発明の効果】
【００２２】
（Ｅ01）用紙の搬送が検出できない状態で、正常に画像形成動作が実行されている場合に、安全性に問題があると誤検出することを防止することができる。
【発明を実施するための最良の形態】
【００２３】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２４】
図１は本発明の実施例１の画像形成装置の説明図であり、図１Ａは画像形成装置全体の説明図、図１Ｂは用紙搬送検出センサの要部拡大断面図、図１Ｃは図１ＢをＩＣ方向から見たときの説明図である。
図１Ａにおいて、画像形成装置としてのプリンタＵは、プリンタ支持面ＰＳ上に支持されている。前記プリンタＵの中央上部には、上下方向に着脱可能に構成された操作窓ＣＷが配置されている。
プリンタＵの上部右側には、ドラム状の感光体（像担持体）ＰＲが回転可能に支持されており、感光体ＰＲの右上方にはＲＯＳ（潜像形成装置）が支持されている。前記感光体ＰＲの周囲には、その回転方向に沿って、帯電器（チャージコロトロン）ＣＣ、現像器Ｄ、転写器（転写コロトロン）Ｔｃ、クリーナＣＬが配置されている。なお、前記転写器Ｔｃ、帯電器ＣＣはロール式のものも使用可能である。
回転する前記感光体ＰＲの表面は、帯電器ＣＣにより一様に帯電され、前記帯電された感光体ＰＲ表面は、ＲＯＳ（潜像形成装置）から出射されるレーザビームＬにより静電潜像が形成される。前記感光体ＰＲ表面の静電潜像は現像器Ｄによりトナー像に現像される。前記感光体ＰＲ表面のトナー像は、前記転写器Ｔｃに対向する転写領域Ｑ１に搬送される。
【００２５】
図２は実施例１の画像形成装置の転写器部分の要部拡大図であり、図２Ａは連続紙が装填された状態の説明図、図２Ｂは連続紙が転写領域の下流側で紙詰まりした状態の説明図である。
前記プリンタＵは、送り孔付き連続紙Ｐを収容する連続紙収容部ＴＲ１を有している。図１、図２において、前記連続紙収容部ＴＲ１の上方には、上流側トラクタ（上流側連続紙搬送部材）Ｋ１と、前記上流側トラクタＫ１に対向する上流側ガイド部材Ｇ１とが配置されている。図２において、上流側ガイド部材Ｇ１の下流側には連続紙Ｐの用紙前端を検出可能な上流側用紙センサＳＮ１が配置されている。
前記連続紙収容部ＴＲ１に収容された送り孔付き連続紙Ｐは、上流側トラクタ（上流側連続紙搬送部材）Ｋ１により搬送され、ガイドロールＲａによりガイドされて前記転写領域Ｑ１に搬送される。転写器Ｔｃは、前記連続紙Ｐが前記転写領域Ｑ１を通過する際に感光体ＰＲ表面のトナー像を連続紙Ｐに転写する。
【００２６】
前記転写領域Ｑ１の下流側には、駆動ロールＲ１ａと、従動ロールＲ１ｂとを有するフィードロール（搬送ロール）Ｒ１が配置されている。前記従動ロールＲ１ｂには、図示しないソレノイドとバネが連結されており、ソレノイドオン時に駆動ロールＲ１ａに当接する当接位置（図２Ａの破線参照）に移動し、ソレノイドオフ時にバネの復元力により駆動ロールＲ１ａから離隔した離隔位置（図２Ａの実線参照）に移動するように構成されている。前記フィードロールＲ１の下流側には、下流側トラクタＫ２と、下流側トラクタＫ２に対向して配置された下流側ガイド部材Ｇ２とが配置されており、前記下流側ガイド部材Ｇ２の下流側には連続紙Ｐの用紙前端を検出可能な下流側用紙センサＳＮ２が配置されている。前記下流側ガイド部材Ｇ２の上方且つ前記操作窓ＣＷの下方には、ヒンジ軸ＰＬ１ａを中心に通常位置（図２Ａ参照）と開放位置（図２Ｂ参照）の間で回動可能な開閉プレートＰＬ１が配置されている。前記開閉プレートＰＬ１の右端部には、前記従動ロールＲ１ｂが前記当接位置と離隔位置との間で移動可能に支持されている。また、前記開閉プレートＰＬ１は、前記操作窓ＣＷが取り外された状態で、ヒンジ軸ＰＬ１ａを中心に回動させて開放位置に移動させることができる。したがって、図２Ｂに示すように紙詰まり（ジャム）が発生した場合、開閉プレートＰＬ１を開放位置に移動させて、前記下流側ガイド部材Ｇ２を取り外すことによりジャムを解消できる。
【００２７】
前記転写領域Ｑ１でトナー像が転写された連続紙Ｐは、駆動ロールＲ１ａによりガイドされて、下流側トラクタ（下流側連続紙搬送部材）Ｋ２に搬送され、シートガイドＧ３にガイドされて定着領域Ｑ２に搬送される（図１参照）。定着領域Ｑ２を通過する連続紙Ｐ上のトナー像はフラッシュランプ（定着光源）Ｆ１を使用した定着器（定着装置）Ｆにより定着用の光が照射されて加熱定着される。
図１Ａにおいて、前記定着器Ｆの下流側には、排紙ロールＲｂが配置されている。また、前記排紙ロールＲｂの下流側には、連続紙Ｐが搬送されていることを検出可能な用紙搬送検出センサ（搬送検出部材）ＳＮ３が配置されている。
【００２８】
図１Ｂにおいて、実施例１の用紙搬送検出センサＳＮ３は、連続紙Ｐの送り孔（スプロケットホール）Ｐ１の位置に対応して配置されている。また、前記用紙搬送検出センサＳＮ３は、検出光１１を照射する発光部１２と、前記発光部１２から照射された前記検出光１１を受光する受光部１３とを有する光学センサ１２，１３によって構成されている。また、図１Ｃにおいて、前記発光部１２には、連続紙Ｐが所定の位置から前後方向（Ｘ軸方向）にずれた位置で搬送された場合でも確実に前記送り孔Ｐ１を検出するために、複数の光源１２ａが前後方向（Ｘ軸方向）に沿ってライン上に配置されている。
【００２９】
よって、前記用紙搬送検出センサＳＮ３では、前記発光部１２の前記複数の光源１２ａが前後方向（Ｘ軸方向）に伸びるライン状の前記検出光１１を照射し、前記受光部１３が受光した前記検出光１１の光量の変化を測定することで、前記送り孔Ｐ１を検出する。この結果、ジョブ時に連続紙Ｐが搬送されると、連続紙Ｐの送り孔Ｐ１が周期的に検出される。逆に、紙詰まり等により連続紙Ｐが搬送されないと、送り孔Ｐ１又は送り孔Ｐ１でないことが継続して検出される。
なお、実施例１の前記用紙搬送検出センサＳＮ３では、前記受光部１３が受光した前記検出光１１の光量の変化を測定することで、前記送り孔Ｐ１を検出するが、前記用紙搬送検出センサＳＮ３の構成についてはこれに限定されず、例えば、前記複数の光源１２ａに応じた複数の受光部を配置することも可能である。この場合、前記複数の受光部うち、いずれか１つの受光部の状態が変化することにより、前記連続紙Ｐが搬送されていることを検出でき、全ての受光部の状態が変化しないことにより、連続紙Ｐが搬送されていないことを検出できる。
【００３０】
さらに、前記用紙搬送検出センサＳＮ３の下流側には、排紙用シートガイドＧ４が配置されており、前記定着領域Ｑ２の通過時に前記定着器Ｆでトナー像が加熱定着された連続紙Ｐは、前記排紙ロールＲｂおよび前記用紙搬送検出センサＳＮ３を通って、前記排紙用シートガイドＧ４から下方のスタックトレイＴＲ２に搬送される（図１参照）。
そして、スタックトレイＴＲ２に搬送された連続紙Ｐは折り目（図示せず）により自動的に折り畳まれた状態で前記スタックトレイＴＲ２上に積載される。前記スタックトレイＴＲ２は矢印Ｙａ方向に上下動可能に構成されており、積載された連続紙Ｐの高さに応じて自動的に下方に移動し、順次搬送されて来る連続紙Ｐが積載される位置が常時一定に保持される。
【００３１】
また、実施例１の前記プリンタＵでは、前記プリンタＵに新たな連続紙Ｐを装填する時や、ジャム等が発生して連続紙Ｐを装填し直す時には、従来公知のオートロード（連続紙自動装填動作）処理が実行できる（例えば、特開２００５−１７０５５０号公報等参照）。実施例１の前記オートロード処理では、印刷されずに前記スタックトレイＴＲ２に搬送される用紙を削減するために、連続紙Ｐの用紙前端が前記下流側用紙センサＳＮ２の位置（自動装填位置）、すなわち、連続紙Ｐの用紙前端が前記下流側用紙センサＳＮ２で検出されると連続紙Ｐの搬送を停止する。
【００３２】
（実施例１の制御部の説明）
図３は本発明の実施例１の画像形成装置の制御部のブロック線図である。
図３において、前記コントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００３３】
（前記コントローラＣに接続された信号出力要素）
前記コントローラＣは、前記操作窓ＣＷに設けられたＵＩ（ユーザインタフェース）や上流側用紙センサＳＮ１、下流側用紙センサＳＮ２、用紙搬送検出センサＳＮ３等の信号出力要素からの出力信号が入力されている。
前記ＵＩは、電源スイッチＵＩ１、表示部ＵＩ２、テンキーＵＩ３、オートロードスイッチＵＩ４等を備えている。
前記上流側用紙センサＳＮ１は、オートロード時に連続紙Ｐの用紙前端を検出する。
前記下流側用紙センサＳＮ２は、オートロード時に連続紙Ｐの用紙前端を検出する。
前記用紙搬送検出センサＳＮ３は、連続紙Ｐの送り孔を周期的に検出することで、ジョブ時に連続紙Ｐが搬送されているか否かを検出する。
【００３４】
（前記コントローラＣに接続された被制御要素）
また、コントローラＣは、メインモータ駆動回路Ｄ１、電源回路Ｅ、トラクタ駆動モータ作動回路Ｄ２、フィードロール駆動モータ作動回路Ｄ３、従動ロール押付けソレノイド作動回路Ｄ４、その他の制御要素に接続されており、それらの作動制御信号を出力している。
メインモータ駆動回路Ｄ１はメインモータＭ１を介して感光体ＰＲ、現像器Ｄの現像ロール等を回転駆動する。
【００３５】
前記電源回路Ｅは現像用電源回路Ｅａ、帯電用電源回路Ｅｂ、転写用電源回路Ｅｃ、定着用電源回路（定着電源回路）Ｅｄ等を有している。
現像用電源回路Ｅａは現像器Ｄの現像ロールに現像バイアスを印加する。
帯電用電源回路Ｅｂは帯電器ＣＣ（チャージコロトロン）に感光体ＰＲ表面を帯電させるための帯電バイアスを印加する。
転写用電源回路Ｅｃは転写ロールＴｒに感光体ＰＲ表面のトナー像を連続紙Ｐに転写するための転写バイアスを印加する。
定着用電源回路Ｅｄは、定着器ＦのフラッシュランプＦ１に電源を供給する。
【００３６】
トラクタ駆動モータ作動回路Ｄ２はトラクタ駆動モータＭ２を作動させてトラクタＫ１，Ｋ２や排紙ロールＲｂ等を回転駆動させ、連続紙Ｐを搬送する。
フィードロール駆動モータ作動回路Ｄ３は、フィードロール駆動モータＭ３を作動させて、フィードロールＲ１の駆動ロールＲ１ａを回転させる。
従動ロール押付けソレノイド作動回路Ｄ４は、従動ロール押付けソレノイドＳＬ１を作動させて、フィードロールＲ１の従動ロールＲ１ｂを当接位置に移動させて駆動ロールＲ１ａに当接させる。
【００３７】
（前記コントローラＣの機能）
前記コントローラＣは、前記信号出力要素からの入力信号に応じた処理を実行して、前記各制御要素に制御信号を出力する機能を有している。すなわち、コントローラＣは次の機能を有している。
Ｃ１：ジョブ制御手段
ジョブ制御手段Ｃ１は、発光信号送信手段Ｃ１Ａを有し、プリントデータを受信した場合に、プリンタＵの各部材の作動を制御して、ジョブ（画像形成動作）を実行する。
Ｃ１Ａ：発光信号送信手段
発光信号送信手段Ｃ１Ａは、連続紙Ｐの未定着トナー像を定着するために、トナー像が前記定着領域Ｑ２を通過するのに合わせた所定の発光タイミングで、前記定着器ＦのフラッシュランプＦ１を発光させる発光信号（フラッシュ発光トリガ）を送信する。なお、実施例１の前記発光信号送信手段Ｃ１Ａは、前記発光信号を、後述する定着用電源回路制御手段Ｃ４Ｄと、累積発光回数計数制御手段Ｃ９とに送信する。
【００３８】
Ｃ２：エラー制御手段（告知手段）
エラー制御手段Ｃ２は、センサＳＮ１〜ＳＮ３の故障や、紙詰まり（ジャム）や、連続紙Ｐが搬送されない状態でフラッシュランプＦ１が連続して発光された等のエラーが発生した場合に、ジョブを中断したり、ユーザインタフェースＵＩの表示部ＵＩ２にエラー表示をしたりしてエラーを制御する。
Ｃ３：メインモータ制御手段
メインモータ制御手段Ｃ３は、メインモータ駆動回路Ｄ１を介してメインモータＭ１の駆動を制御し、感光体ＰＲ等の駆動を制御する。
【００３９】
Ｃ４：電源回路制御手段
電源回路制御手段Ｃ４は、現像用電源回路制御手段Ｃ４Ａと、帯電用電源回路制御手段Ｃ４Ｂと、転写用電源回路制御手段Ｃ４Ｃと、定着用電源回路制御手段Ｃ４Ｄとを有し、電源回路Ｅの作動を制御して、各部材へのバイアスの印加や電源の供給等を制御する。
Ｃ４Ａ：現像用電源回路制御手段
現像用電源回路制御手段Ｃ４Ａは、現像用電源回路Ｅａを制御して、現像器Ｄに印加する現像用バイアスを制御する。
Ｃ４Ｂ：帯電用電源回路制御手段
帯電用電源回路制御手段Ｃ４Ｂは、帯電用電源回路Ｅｂを制御して、帯電器ＣＣに印加する帯電用バイアスを制御する。
【００４０】
Ｃ４Ｃ：転写用電源回路制御手段
転写用電源回路制御手段Ｃ４Ｃは、転写用電源回路Ｅｃを制御して、転写器Ｔｃに印加する転写用バイアスを制御する。
Ｃ４Ｄ：定着用電源回路制御手段（電源切断手段）
定着用電源回路制御手段Ｃ４Ｄは、発光信号受信手段Ｃ４D1と、定着用電源切断信号受信手段Ｃ４D2とを有し、定着用電源回路Ｅｄを制御して、定着器ＦのフラッシュランプＦ１の発光を制御し、トナー像の定着を行う。
【００４１】
Ｃ４D1：発光信号受信手段
発光信号受信手段Ｃ４D1は、前記発光信号を受信する。実施例１の前記発光信号受信手段Ｃ４D1において、前記発光信号を受信した場合には、前記定着用電源回路制御手段Ｃ４Ｄによって、定着器ＦのフラッシュランプＦ１を発光させる。
Ｃ４D2：定着用電源切断信号受信手段
定着用電源切断信号受信手段Ｃ４D2は、定着用電源を切断するための定着用電源切断信号を受信する。実施例１の前記定着用電源切断信号受信手段Ｃ４D2において、前記定着用電源切断信号を受信した場合には、前記定着用電源回路制御手段Ｃ４Ｄによって、定着用電源を切断して、ユーザによる電源切断解除処理（例えば、プリンタＵを再起動させる等）が行われるまで、定着器Ｆに定着用電源を供給できないようにする。
【００４２】
Ｃ５：トラクタ駆動モータ制御手段
トラクタ駆動モータ制御手段Ｃ５は、トラクタ駆動モータ作動回路Ｄ２を介してトラクタ駆動モータＭ２の作動を制御し、トラクタＫ１，Ｋ２の作動を制御する。
Ｃ６：フィードロール駆動モータ制御手段（搬送ロール駆動装置制御手段）
フィードロール駆動モータ制御手段Ｃ６は、フィードロール駆動モータ作動回路Ｄ３を介してフィードロール駆動モータＭ３の作動を制御して、フィードロールＲ１の駆動ロールＲ１ａの駆動を制御する。
Ｃ７：従動ロール押付けソレノイド制御手段
従動ロール押付けソレノイド制御手段Ｃ７は、従動ロール押付けソレノイド作動回路Ｄ４を介して従動ロール押付けソレノイドＳＬ１の作動を制御し、従動ロールＲ１ｂを当接位置と離隔位置との間で移動させる。
【００４３】
Ｃ８：オートロード制御手段（新規連続紙自動装填手段）
オートロード制御手段Ｃ８は、オートロード開始判別手段Ｃ８Ａと、オートロード完了判別手段Ｃ８Ｂと、オートロード完了信号送信手段Ｃ８Ｃとを有し、オートロードスイッチＵＩ４の入力に応じて、各制御手段Ｃ５〜Ｃ８に制御信号を出力して、従動ロールＲ１ｂの移動、駆動ロールＲ１ａの作動、トラクタＫ１，Ｋ２の作動等のタイミングを制御することで、連続紙ＰをプリンタＵに自動装填する前記オートロード処理を制御する。
Ｃ８Ａ：オートロード開始判別手段
オートロード開始判別手段Ｃ８Ａは、オートロードスイッチＵＩ４の入力がされたか否かを判別することにより、オートロードを開始する指示がされたか否かを判別する。
【００４４】
Ｃ８Ｂ：オートロード完了判別手段
オートロード完了判別手段Ｃ８Ｂは、オートロード処理が完了したか否かを判別する。実施例１の前記オートロード完了判別手段Ｃ８Ｂは、前記下流側用紙センサＳＮ２が連続紙Ｐの用紙前端を検出して連続紙Ｐの搬送が停止したか否かを判別することにより、オートロード処理が完了したか否かを判別する。
Ｃ８Ｃ：オートロード完了信号送信手段
オートロード完了信号送信手段Ｃ８Ｃは、前記オートロード完了判別手段Ｃ８Ｂでオートロード処理が完了した場合に、オートロード処理が完了したことを通知するオートロード完了信号を後述する累積発光回数初期化信号制御手段Ｃ１０に送信する。
【００４５】
Ｃ９：累積発光回数計数手段
累積発光回数計数手段Ｃ９は、発光信号受信手段Ｃ９Ａと、累積発光回数初期化信号受信手段Ｃ９Ｂと、累積発光回数初期化手段（発光累積回数初期化手段）Ｃ９Ｃとを有し、定着器ＦのフラッシュランプＦ１の発光回数の累積値である累積発光回数（発光累積回数）ｎを計数する。
Ｃ９Ａ：発光信号受信手段
発光信号受信手段Ｃ９Ａは、前記発光信号を受信する。実施例１の前記発光信号受信手段Ｃ９Ａが前記発光信号を受信した場合には、前記累積発光回数ｎが１加算される。
Ｃ９Ｂ：累積発光回数初期化信号受信手段
累積発光回数初期化信号受信手段Ｃ９Ｂは、前記累積発光回数ｎを初期化するための累積発光回数初期化信号を受信する。
Ｃ９Ｃ：累積発光回数初期化手段（発光累積回数初期化手段）
累積発光回数初期化手段Ｃ９Ｃは、前記累積発光回数初期化信号受信手段Ｃ９Ｂが前記累積発光回数初期化信号を受信した場合に、前記累積発光回数ｎを０に初期化する。
【００４６】
Ｃ１０：累積発光回数初期化信号制御手段
累積発光回数初期化信号制御手段Ｃ１０は、用紙搬送判別手段Ｃ１０Ａと、オートロード完了信号受信手段Ｃ１０Ｂと、累積発光回数初期化信号送信手段Ｃ１０Ｃとを有し、前記累積発光回数初期化信号を制御する。
Ｃ１０Ａ：用紙搬送判別手段
用紙搬送判別手段Ｃ１０Ａは、前記用紙搬送検出センサＳＮ３により、ジョブ時に連続紙Ｐが搬送されているか否かを判別する。
Ｃ１０Ｂ：オートロード完了信号受信手段
オートロード完了信号受信手段Ｃ１０Ｂは、前記オートロード完了信号を受信する。
Ｃ１０Ｃ：累積発光回数初期化信号送信手段
累積発光回数初期化信号送信手段Ｃ１１は、前記用紙搬送判別手段Ｃ１０Ａで連続紙Ｐが搬送されていると判別された場合、又は、前記オートロード完了信号受信手段Ｃ１０Ｂが前記オートロード完了信号を受信した場合に、前記累積発光回数初期化信号を前記累積発光回数計数手段Ｃ９に送信する。
【００４７】
Ｃ１１：定着用電源切断信号制御手段
定着用電源切断信号制御手段Ｃ１１は、累積発光限界値記憶手段Ｃ１１Ａと、定着用電源切断判別手段Ｃ１１Ｂと、定着用電源切断信号送信手段Ｃ１１Ｃとを有し、前記定着用電源切断信号を制御する。
Ｃ１１Ａ：累積発光限界回数記憶手段
累積発光限界回数記憶手段Ｃ１１Ａは、定着器ＦのフラッシュランプＦ１を連続して発光できる限界の回数、すなわち、前記累積発光回数ｎの限界値である累積発光限界回数（発光限界回）Ｎａを記憶する。実施例１の前記累積発光限界回数記憶手段Ｃ１１Ａは、前記累積発光限界回数Ｎａとして２０（回）を記憶する。
Ｃ１１Ｂ：定着用電源切断判別手段
定着用電源切断判別手段Ｃ１１Ｂは、前記累積発光回数ｎが前記累積発光限界値Ｎａを超えているか否かを判別することで、定着用電源を切断する必要があるか否かを判別する。
Ｃ１１Ｃ：定着用電源切断信号送信手段
定着用電源切断信号送信手段Ｃ１１Ｃは、前記定着用電源切断判別手段Ｃ１１Ｂで定着用電源を切断する必要があると判別された場合に、前記定着用電源切断信号を前記定着用電源回路制御手段Ｃ４Ｄに送信する。
【００４８】
（実施例１のフローチャートの説明）
次に、実施例１のプリンタＵの処理の流れをフローチャートを使用して説明する。なお、前記累積発光回数初期化信号を送信する処理については、前記用紙搬送検出センサＳＮ３によって連続紙Ｐが搬送されていることが検出された場合、又は、前記オートロード完了信号を受信した場合に、前記累積発光回数初期化信号を前記累積発光回数計数手段Ｃ９に送信する処理を実行するだけであるため、フローチャートの図示及び詳細な説明を省略する。
（定着用電源回路制御処理のフローチャートの説明）
図４は実施例１の画像形成装置の定着用電源回路制御処理のフローチャートである。
図４のフローチャートの各ＳＴ（ステップ）の処理は、前記プリンタＵのＲＯＭ等に記憶されたプログラムに従って行われる。また、この処理はプリンタＵの他の各種処理と並行してマルチタスクで実行される。
【００４９】
図４に示すフローチャートはプリンタＵの電源オンにより開始される。
図４のＳＴ１において、定着器ＦのフラッシュランプＦ１を発光するための発光信号を受信したか否かを判別する。イエス（Ｙ）の場合はＳＴ２に移り、ノー（Ｎ）の場合はＳＴ３に移る。
ＳＴ２において、定着器ＦのフラッシュランプＦ１を発光することで、連続紙Ｐ上のトナー像を定着させる。そして、ＳＴ１に戻る。
【００５０】
ＳＴ３において、定着用電源を切断するための定着用電源切断信号を受信したか否かを判別する。イエス（Ｙ）の場合はＳＴ４に移り、ノー（Ｎ）の場合はＳＴ１に戻る。
ＳＴ４において、定着用電源を切断して、ユーザによる電源切断解除処理（例えば、プリンタＵを再起動させる等）が行われるまで、定着器Ｆに定着用電源を供給できないようにする。そして、ＳＴ５に移る。
ＳＴ５において、ユーザインタフェースＵＩの表示部ＵＩ２に、連続紙Ｐが搬送されない状態でフラッシュランプＦ１が連続して発光されたことを通知するエラーを表示する。そして、ＳＴ１に戻る。
【００５１】
（オートロード制御処理のフローチャートの説明）
図５は実施例１のプリンタＵのオートロード制御処理のフローチャートである。
図５のフローチャートの各ＳＴ（ステップ）の処理は、前記プリンタＵのＲＯＭ等に記憶されたプログラムに従って行われる。また、この処理はプリンタＵの他の各種処理と並行してマルチタスクで実行される。
【００５２】
図５に示すフローチャートはプリンタＵの電源オンにより開始される。
図５のＳＴ１１において、オートロードスイッチＵＩ４の入力がされたか否かを判別する。イエス（Ｙ）の場合はＳＴ１２に移り、ノー（Ｎ）の場合はＳＴ１１を繰り返す。
ＳＴ１２において、トラクタＫ１，Ｋ２や駆動ロールＲ１ａを駆動して、連続紙Ｐを自動装填するオートロード処理を実行する。そして、ＳＴ１３に移る。
ＳＴ１３において、前記下流側用紙センサＳＮ２の位置まで連続紙Ｐの用紙前端が搬送され、オートロード処理が完了したか否かを判別する。イエス（Ｙ）の場合はＳＴ１４に移り、ノー（Ｎ）の場合はＳＴ１３を繰り返す。
ＳＴ１４において、オートロード処理が完了したことを通知するオートロード完了信号を累積発光回数初期化信号制御手段Ｃ１０に送信する。そして、ＳＴ１１に戻る。
【００５３】
（累積発光回数計数処理のフローチャートの説明）
図６は実施例１のプリンタＵの累積発光回数計数処理のフローチャートである。
図６のフローチャートの各ＳＴ（ステップ）の処理は、前記プリンタＵのＲＯＭ等に記憶されたプログラムに従って行われる。また、この処理はプリンタＵの他の各種処理と並行してマルチタスクで実行される。
【００５４】
図６に示すフローチャートはプリンタＵの電源オンにより開始される。
図６のＳＴ２１において、前記発光信号を受信したか否かを判別する。イエス（Ｙ）の場合はＳＴ２２に移り、ノー（Ｎ）の場合はＳＴ２３に移る。
ＳＴ２２において、定着器ＦのフラッシュランプＦ１の発光回数の累積値である累積発光回数ｎに１を加算する（ｎ＝ｎ＋１）。そして、ＳＴ２１に戻る。
ＳＴ２３において、累積発光回数ｎを初期化するための累積発光回数初期化信号を受信したか否かを判別する。イエス（Ｙ）の場合はＳＴ２４に移り、ノー（Ｎ）の場合はＳＴ２５に移る。
ＳＴ２４において、累積発光回数ｎを０に初期化する（ｎ＝０）。そして、ＳＴ２１に戻る。
ＳＴ２５において、累積発光回数ｎが限界値である累積発光限界回数Ｎａを超えているか否かを判別することで、定着用電源を切断する必要があるか否かを判別する（ｎ＞Ｎａ）。イエス（Ｙ）の場合はＳＴ２６に移り、ノー（Ｎ）の場合はＳＴ２１に戻る。
ＳＴ２６において、前記定着用電源切断信号を定着用電源回路制御手段Ｃ４Ｄに送信する。そして、ＳＴ２１に戻る。
【００５５】
（実施例１の作用）
前記構成を備えた実施例１のプリンタＵでは、連続紙Ｐが前記スタックトレイＴＲ２まで装填された状態でジョブ（画像形成動作）が開始されると、前記用紙搬送検出センサＳＮ３によって連続紙Ｐが搬送されるのを検知し、前記累積発光回数初期化信号が送信されて前記累積発光回数ｎが０に初期化される（図６のＳＴ２３，ＳＴ２４参照）。したがって、正常にジョブが実行されていれば、前記累積発光回数ｎが初期化され続けるので、前記定着器ＦのフラッシュランプＦ１が連続で発光しても、前記累積発光回数ｎが前記累積発光限界回数Ｎａ（実施例１では２０回）を超えることはない。したがって、定着用電源が切断されない。また、前記用紙搬送検出センサＳＮ３は、前記排出ロールＲｂの下流側に配置されているので、前記排出ロールＲｂまでの紙詰まり（ジャム）を確実に検出することができる。
【００５６】
また、実施例１のプリンタＵでは、新たな連続紙Ｐを装填する際に、印刷されずに前記スタックトレイＴＲ２に搬送される用紙を削減するために、連続紙Ｐの用紙前端が前記下流側用紙センサＳＮ２の位置で停止する前記オートロード処理が実行される（図５のＳＴ１１〜１３参照）。前記オートロード処理が実行された後に、ジョブが開始されると、連続紙Ｐが前記前記下流側用紙センサＳＮ２から前記用紙搬送検出センサＳＮ３に搬送される間にも前記定着器ＦのフラッシュランプＦ１を発光する処理（図４のＳＴ１，ＳＴ２参照）が行われるが、前記用紙搬送検出センサＳＮ３が連続紙Ｐを検出できないため、前記累積発光回数ｎが計数される。これに対応して、実施例１の前記累積発光限界回数Ｎａには、正常にジョブが実行されていれば、用紙前端が前記用紙搬送検出センサＳＮ３に到達するまでに前記累積発光回数ｎが超えてしまわない程度に十分な値であり、且つ、紙詰まり（ジャム）が発生しても、連続紙Ｐが発火してしまう危険性が低い値である２０回が設定されている。そして、用紙前端が前記用紙搬送検出センサＳＮ３に到達すると、前記用紙搬送検出センサＳＮ３で連続紙Ｐの搬送が検出されるため、前記累積発光回数ｎがリセットされる。したがって、オートロード直後でも定着用電源が切断されることなく画像形成が実行できる。
【００５７】
前記オートロード処理が実行された後に、前記用紙搬送検出センサＳＮ３に連続紙Ｐが搬送されるまでにジャムが発生し（例えば、前記排紙ローラＲｂではジャムが比較的発生し易い）、ジョブが中止された時には、前記累積発光回数ｎが計数されたままの状態になる。この場合、従来の画像形成装置では、ジャムを解除して再び前記オートロード処理を実行してジョブが再開されると、正常にジョブが実行されているにも関わらず、前記累積発光回数ｎが前記累積発光限界回数Ｎａを超えてしまい、発火の恐れがあるものと誤検出してしまい、定着用電源を切断してしまう可能性があった。
しかしながら、実施例１のプリンタＵでは、ジャム解消後に前記オートロード処理がされると、前記オートロード完了信号が前記累積発光回数初期化信号制御手段Ｃ１０に送信され（図５のＳＴ１４参照）、前記オートロード完了信号の送信に伴って、前記累積回数初期化信号が送信されて前記累積発光回数ｎが０に初期化されるので、前記後検出を回避することができる。
【００５８】
したがって、実施例１のプリンタＵでは、印刷されずに前記スタックトレイＴＲ２に搬送される用紙を削減でき、前記誤検出も確実に回避することができる。
また、実施例１のプリンタＵでは、前記累積発光回数ｎが前記累積発光限界回数Ｎａを超えた場合に、ユーザインタフェースＵＩの表示部ＵＩ２に、連続紙Ｐが搬送されない状態でフラッシュランプＦ１が連続して発光されたことを通知するエラーを表示することができる（図４のＳＴ５参照）。
【００５９】
(変更例)
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ09）を下記に例示する。
（Ｈ01）本発明はプリンタに限定されず、複写機やＦＡＸあるいはこれら複数の機能を備えた複合機等の画像形成装置に適用可能である。また、モノクロの画像形成装置に限定されず、カラーの画像形成装置にも適用可能である。
【００６０】
（Ｈ02）前記実施例において、駆動ロールＲ１ａと従動ロールＲ１ｂとを入れ替えて、従動ロールＲ１ｂを退避させたり、駆動ロールＲ１ａを当接位置と離隔位置との間で移動可能とし、相対的に従動ロールＲ１ｂが駆動ロールＲ１ａに当接、離隔する構成とすることも可能である。
（Ｈ03）前記実施例において、上流側用紙センサＳＮ１による連続紙Ｐの用紙前端の検出結果に基づいて、その後の制御を行ったが、連続紙Ｐを手動でセットする位置が決まっている場合には上流側用紙センサＳＮ１を省略することも可能である。
（Ｈ04）前記実施例において、操作窓ＣＷを着脱可能としたり、開閉プレートＰＬ１を開閉可能とする構成は省略することも可能である。
【００６１】
（Ｈ05）前記実施例において、前記下流側用紙センサＳＮ２によって、オートロード処理が完了したか否かを判別したが、これに限定されず、例えば、各部材を制御するためのタイマを使用してオートロード処理が完了したか否かを判断することも可能である。
（Ｈ06）前記実施例のオートロード処理において、連続紙Ｐの用紙前端の停止位置を前記下流側トラクタＫ２の前記下流側用紙センサＳＮ２の位置までとしたが、連続紙Ｐの用紙前端の停止位置はこれに限定されず、任意の位置に変更が可能である。
（Ｈ07）前記実施例において、オートロード処理は、連続紙Ｐの用紙前端を前記下流側用紙センサＳＮ２の位置まで搬送したが、これに限定されず、連続紙Ｐの用紙前端を前記下流側用紙センサＳＮ２の位置まで搬送する節約モードと、前記スタックトレイＴＲ２まで搬送する通常モードとを、ユーザが選択可能な構成とすることも可能である。
（Ｈ08）前記実施例において、前記累積発光限界回数Ｎａは２０回に限定されず、任意の値に変更可能である。
（Ｈ09）前記実施例において、前記累積発光回数ｎが前記累積発光限界回数Ｎａを超えるか否かによって、定着用電源を切断するか否かを判別したが、これに限定されず、例えば、タイマを使用して、ジャムが発生して用紙の搬送が停止した後から所定の累積時間が経過したか否かを判別することで、定着用電源を切断するか否かを判別することも可能である。
【図面の簡単な説明】
【００６２】
【図１】図１は本発明の実施例１の画像形成装置の説明図であり、図１Ａは画像形成装置全体の説明図、図１Ｂは用紙搬送検出センサの要部拡大断面図、図１Ｃは図１ＢをＩＣ方向から見たときの説明図である。
【図２】図２は実施例１の画像形成装置の転写器部分の要部拡大図であり、図２Ａは連続紙が装填された状態の説明図、図２Ｂは連続紙が転写領域の下流側で紙詰まりした状態の説明図である。
【図３】図３は本発明の実施例１の画像形成装置の制御部のブロック線図である。
【図４】図４は実施例１の画像形成装置の定着用電源回路制御処理のフローチャートである。
【図５】図５は実施例１のプリンタＵのオートロード制御処理のフローチャートである。
【図６】図６は実施例１のプリンタＵの累積発光回数計数処理のフローチャートである。
【図７】図７は連続紙を使用する従来の画像形成装置の説明図である。
【符号の説明】
【００６３】
Ｃ２…告知手段、
Ｃ４Ｄ…電源切断手段、
Ｃ８…新規連続紙自動装填手段、
Ｃ９…発光累積回数計数手段、
Ｃ９Ｃ…発光累積回数初期化手段、
Ｅｄ…定着電源回路、
Ｆ…定着装置、
Ｆ１…定着光源、
Ｋ１，Ｋ２，Ｒ１…用紙搬送装置、
ｎ…発光累積回数、
Ｎａ…発光限界回数、
Ｐ…連続紙、
Ｑ２…定着領域、
Ｒｂ…用紙搬送部材、
ＳＮ３…搬送検出部材、
Ｕ…画像形成装置。
【図１】
2008158209.tif 000003
【図２】
2008158209.tif 000004
【図３】
2008158209.tif 000005
【図４】
2008158209.tif 000006
【図５】
2008158209.tif 000007
【図６】
2008158209.tif 000008
【図７】
2008158209.tif 000009